(57)【要約】【課題】簡易な構成によって排水の汚れ分をより効率良く分離処理できる排水の処理装置を提供すること。【解決手段】排水の汚れ分を、フロックを生成させて分離処理できるように上下方向に所要の長さを有して設けられた分離処理槽１０を備え、分離処理槽１０の内部には、微細な気泡を発生させるように微細気泡発生装置の構成要素である気泡発生部２１が配置され、分離処理槽１０の気泡発生部２１が配された上側に、排水の原水が供給される原水流入口１３が設けられ、分離処理槽１０の気泡発生部２１が配された下側に、排水が浄化された処理済みの水である処理水が流出される処理水出口１４が設けられて、分離処理槽１０の上端部に、フロックを伴って汚れ分が濃縮された水である汚れ濃縮水が排出される汚れ濃縮水排出口１５が設けられている。【選択図】図１
2015098021.tif 000002
【特許請求の範囲】
【請求項１】
排水の汚れ分を、フロックを生成させて分離処理できるように上下方向に所要の長さを有して設けられた分離処理槽を備え、
該分離処理槽の内部には、微細な気泡を発生させるように微細気泡発生装置の構成要素である気泡発生部が配置され、
前記分離処理槽の前記気泡発生部が配された上側に、排水の原水が供給される原水流入口が設けられ、
前記分離処理槽の前記気泡発生部が配された下側に、排水が浄化された処理済みの水である処理水が流出される処理水流出口が設けられ、
前記分離処理槽の上端部に、フロックを伴って汚れ分が濃縮された水である汚れ濃縮水が排出される汚れ濃縮水排出口が設けられていることを特徴とする排水の処理装置。
【請求項２】
前記原水を供給する装置であって、前記分離処理槽に供給される前記排水の原水に、少なくとも凝集剤を含む薬品が混合・撹拌されるように、前記薬品を前記原水に投入する薬品の投入装置と、前記原水を前記薬品とを撹拌させる撹拌混合部とを備える原水の供給装置が設けられていることを特徴とする請求項１記載の排水の処理装置。
【請求項３】
前記分離処理槽の上端面が鏡板状に上方へ膨らんだ湾曲面状に形成されており、前記汚れ濃縮水排出口が該鏡板状の上端面の最上部である中央部に設けられていることを特徴とする請求項１又は２記載の排水の処理装置。
【請求項４】
前記微細気泡発生装置の前記気泡発生部が電気化学反応を行う電極によって構成され、該電極が、微細気泡の放出される上方が開放された箱状の収納部に収納されて配置され、該収納部には、下方から電解液が供給されるように、電解液の供給装置が接続されていることを特徴とする請求項１〜３のいずれかに記載の排水の処理装置。
【請求項５】
前記処理水流出口が、前記分離処理槽の内部まで挿入された状態の処理水管路の先端開口が下方を向いた状態に開口して設けられていることを特徴とする請求項１〜４のいずれかに記載の排水の処理装置。
【請求項６】
前記汚れ濃縮水排出口に、該汚れ濃縮水排出口から延長される排水管路よりも上方の大気に開放するように挿入された状態に設けられて、前記分離処理槽内の上端部が負圧になった際に大気を導入することができる大気導入管路を備えることを特徴とする請求項１〜５のいずれかに記載の排水の処理装置。
【請求項７】
前記汚れ濃縮水排出口に接続されて汚れ濃縮水を排水する排水管路の延長部において、サイフォン効果を利用できるように、通水断面が該排水管路の根元側の部分よりも小さく且つ下方に位置するように設けられていることを特徴とする請求項１〜６のいずれかに記載の排水の処理装置。
【請求項８】
前記分離処理槽内の上下方向の流れに整流効果のある整流部材が、該分離処理槽内の前記原水流入口と前記気泡発生部との間の高さ位置に配されていることを特徴とする請求項１〜７のいずれかに記載の排水の処理装置。
【請求項９】
前記排水が、少なくとも洗剤によって汚れ分が溶け込んでいる排水であることを特徴とする請求項１〜８のいずれかに記載の排水の処理装置。
【発明の詳細な説明】
【技術分野】
【０００１】
本発明は、被処理水である排水の汚れ分を、フロックを生成させて分離処理できるように、分離処理槽を備える排水の処理装置に関する。
【背景技術】
【０００２】
従来、排水の処理装置にあっては、例えば、ガス導入口を設けた分離壁を介して浮上槽と電解槽とを分離すると共に、浮上槽に清水供給管を接続し、運転停止後、浮上槽および電解槽を清水で自動的に洗浄できるようにした電気浮上装置構造（特許文献１参照）が提案されている。これによれば、電極の目詰まりやスケール発生を防止し、装置の保守、管理を簡略化することができる。
【先行技術文献】
【特許文献】
【０００３】
【特許文献１】特開平０５−２０８１９１号公報（第１頁）
【発明の概要】
【発明が解決しようとする課題】
【０００４】
排水の処理装置に関して解決しようとする課題は、先行技術のような従来の装置では、処理槽が浮上槽と電解槽及び分離槽とに壁で分割されて構成が複雑になっている割に、被処理水と浄化された処理水及びフロックの流れの関係は単純で特徴がなく、排水の汚れ分をより効率良く分離することが難しいことにある。
そこで、本発明の目的は、簡易な構成によって排水の汚れ分をより効率良く分離処理できる排水の処理装置を提供することにある。
【課題を解決するための手段】
【０００５】
本発明は上記目的を達成するために次の構成を備える。
本発明にかかる排水の処理装置の一形態によれば、排水の汚れ分を、フロックを生成させて分離処理できるように上下方向に所要の長さを有して設けられた分離処理槽を備え、該分離処理槽の内部には、微細な気泡を発生させるように微細気泡発生装置の構成要素である気泡発生部が配置され、前記分離処理槽の前記気泡発生部が配された上側に、排水の原水が供給される原水流入口が設けられ、前記分離処理槽の前記気泡発生部が配された下側に、排水が浄化された処理済みの水である処理水が流出される処理水流出口が設けられ、前記分離処理槽の上端部に、フロックを伴って汚れ分が濃縮された水である汚れ濃縮水が排出される汚れ濃縮水排出口が設けられている。
【０００６】
また、本発明にかかる排水の処理装置の一形態によれば、前記原水を供給する装置であって、前記分離処理槽に供給される前記排水の原水に、少なくとも凝集剤を含む薬品が混合・撹拌されるように、前記薬品を前記原水に投入する薬品の投入装置と、前記原水を前記薬品とを撹拌させる撹拌混合部とを備える原水の供給装置が設けられていることを特徴とすることができる。
【０００７】
また、本発明にかかる排水の処理装置の一形態によれば、前記分離処理槽の上端面が鏡板状に上方へ膨らんだ湾曲面状に形成されており、前記汚れ濃縮水排出口が該鏡板状の上端面の最上部である中央部に設けられていることを特徴とすることができる。
【０００８】
また、本発明にかかる排水の処理装置の一形態によれば、前記微細気泡発生装置の前記気泡発生部が電気化学反応を行う電極によって構成され、該電極が、微細気泡の放出される上方が開放された箱状の収納部に収納されて配置され、該収納部には、下方から電解液が供給されるように、電解液の供給装置が接続されていることを特徴とすることができる。
【０００９】
また、本発明にかかる排水の処理装置の一形態によれば、前記処理水流出口が、前記分離処理槽の内部まで挿入された状態の処理水管路の先端開口が下方を向いた状態に開口して設けられていることを特徴とすることができる。
【００１０】
また、本発明にかかる排水の処理装置の一形態によれば、前記汚れ濃縮水排出口に、該汚れ濃縮水排出口から延長される排水管路よりも上方の大気に開放するように挿入された状態に設けられて、前記分離処理槽内の上端部が負圧になった際に大気を導入することができる大気導入管路を備えることを特徴とすることができる。
【００１１】
また、本発明にかかる排水の処理装置の一形態によれば、前記汚れ濃縮水排出口に接続されて汚れ濃縮水を排水する排水管路の延長部において、サイフォン効果を利用できるように、通水断面が該排水管路の根元側の部分よりも小さく且つ下方に位置するように設けられていることを特徴とすることができる。
【００１２】
また、本発明にかかる排水の処理装置の一形態によれば、前記分離処理槽内の上下方向の流れに整流効果のある整流部材が、該分離処理槽内の前記原水流入口と前記気泡発生部との間の高さ位置に配されていることを特徴とすることができる。
また、本発明にかかる排水の処理装置の一形態によれば、前記排水が、少なくとも洗剤によって汚れ分が溶け込んでいる排水であることを特徴とすることができる。
【発明の効果】
【００１３】
本発明にかかる排水の処理装置によれば、簡易な構成によって排水の汚れ分をより効率良く分離処理できるという特別有利な効果を奏する。
【図面の簡単な説明】
【００１４】
【図１】本発明に係る排水の処理装置についてその基礎的な形態例の構成を示す一部を断面とした正面図である。
【図２】本発明に係る排水の処理装置についてそのシステムの形態例を示すブロック図である。
【図３】図２の形態例の要部の外観を示す正面図である。
【図４】図２の形態例の要部の外観を示す平面図である。
【図５】本発明に係る排水の処理装置についてその基礎的な他の形態例の構成を示す一部を断面とした正面図である。
【発明を実施するための形態】
【００１５】
以下、本発明に係る排水の処理装置の形態例を添付図面（図１〜５）と共に詳細に説明する。この排水の処理装置は、排水の汚れ分を、フロックを生成させて分離処理することで、排水を浄化する装置である。その排水としては、洗剤などにより汚れ分が溶け込んでいるようなものであって、例えば、有機質の汚れ成分を含んでフロックを生じやすい温浴施設の排水があり、さらには温浴施設の洗い場で発生する浴室排水を対象とすることができる。
【００１６】
１０は分離処理槽であり、排水の汚れ分を、フロックを生成させて分離処理できるように上下方向に所要の長さを有して設けられている。本形態例の分離処理槽１０は、縦長の起立した筒状であって具体的には円筒形状に設けられている。この分離処理槽１０の内部には、微細な気泡を発生させるように微細気泡発生装置の構成要素である気泡発生部２１が配置されている。この気泡発生部２１は、電気分解などの電気化学反応を行う本実施例のような電極（２１）によって構成できる。また、この気泡発生部２１は、その電極（２１）に限らず、例えばポンプ機構やコンプレッサー機構を使用し、大気中から空気を取り込んで撹拌・混合・溶解をさせて微細気泡を発生できる機械的な原理による微細気泡発生装置における微細気泡を発生させる部位として構成することができる。なお、この微細気泡（図１のＭＢ参照）のことは、マイクロバブとも呼ばれている。
【００１７】
また、本形態例では、微細気泡発生装置２０の気泡発生部（電極２１）が、微細気泡が放出される上方が開放された箱状の収納部２２に収納されて配置され、その収納部２２には、下方から電解液が供給されるように、電解液の供給装置２３が電解液供給管路２４を介して接続されている。なお、電極２１としては、板状のものが所要の間隔を置いて複数並行に配置されて構成されたものを用いることができる。本形態例では、このように複数の電極２１によってユニット化された電極ユニットの複数が、分離処理槽１０内に配されている。図２〜４の形態例では、４個の電極ユニットが装着されている。また、６０は配電制御盤であり、電極２１に電力を供給できるように結線されている。
【００１８】
これによれば、電解液の濃度を局所的に高めることができ、電気分解の効率を高めることができるため、微細気泡を効率良く大量に発生させることができる。なお、電解液は、分散や分解される速度との関係で、その濃度を適正に維持できる程度にゆっくりと流入されるように、電解液の供給装置２３によって供給すればよい。
【００１９】
また、微細気泡を生成する電極２１は、下降して浄化された処理水によって囲まれ、電解液の供給装置２３から供給される電解液も汚れ分を含んでいるものではない。すなわち、電解液の供給装置２３から供給される電解液は処理水によって希釈されるが、その処理水と電解液はどちらも汚れ分をほとんど含んでいない。従って、その電極２１の周囲近傍ではフロックがほとんど発生せず、電極２１がフロックによって閉塞することがなく、電極２１間の短絡は生じない。また、一定時間ごとに、電極２１の極性を変えるため、スケールの付着もない。さらに、本形態例では、電解液の電解質として、次亜塩素酸ナトリウムを使用しており、処理水の殺菌を行うことができる。なお、電解質としては、次亜塩素酸ナトリウムに限定されることはなく、処理条件に応じて他の化学物質を適宜に用いることができるのは勿論である。
【００２０】
１３は原水流入口であり、分離処理槽１０の気泡発生部（電極２１）が配された上側に、汚れ分の分離が好適になされる距離となるように所要の間隔を置いて、汚れ排水の原水を供給できるように設けられている。
また、本形態例では分離処理槽１０の中心に対して偏心した状態に原水流入口１３が連通するように設けられている。このため、原水の回るような流れが生じ、その流れによって効率良く且つ隅々まで行き届くように、原水を分離処理槽１０内へ導入することができる。
【００２１】
また、原水を供給する装置であって、分離処理槽１０に供給される排水の原水に、少なくとも凝集剤を含む薬品が混合・撹拌されるように、薬品を原水に投入する薬品の投入装置３１と、その原水をその薬品とを撹拌させる撹拌混合部３２とを備える原水の供給装置３０が設けられている。図２に示す形態例では、原水が、排水槽３３から送水ポンプ３４によって、原水給水管路３５、撹拌混合部３２、原水流入口１３を介して分離処理槽１０へ供給されるように構成され、前述の原水の供給装置３０が設けられている。また、図２に示す形態例では、薬品の投入装置３１として、アルカリ剤の投入装置３１ａと凝集剤の投入装置３１ｂが配設されている。
【００２２】
１４は処理水流出口であり、分離処理槽１０の気泡発生部（電極２１）が配された下側で分離処理槽１０の内底面から所要の間隔を置いた位置に、排水が浄化された処理済みの水である処理水が流出されるように設けられている。
本形態例では、分離処理槽１０の内部まで挿入された状態の処理水間路４０の先端開口４１が下方を向いた状態に開口して設けられていることで、処理水流出口１４が構成されている。これによれば、沈殿物となるように下降する固形物の流入を防止して浄化性能を高めることができる。
【００２３】
また、１５は汚れ濃縮水排出口であり、分離処理槽１０の上端部に、フロックを伴って汚れ分が濃縮された水である汚れ濃縮水が排出されるように設けられている。
【００２４】
以上の構成によれば、原水の流れは、処理水が下方の処理水流出口１４から流出されるため下降流であり、電極２１から発生した微細気泡の流れは、気泡は密度が低くて軽いため上昇流となっている。すなわち、その原水の流れとその微細気泡の流れとの関係においては対抗流となっており、両者（原水と微細気泡）が効率良く接触できる相互間の流れとなっている。このため、フロックの凝集効果を高めると共に、その浮上効果を高め、効率良く汚れ分を分離でき、排水を効率良く浄化できる。
また、本形態例では、原水流入口１３が偏心した位置に設けられているため、原水が回るように流入して効率よく全面的に微細気泡に接触でき、これによっても効率良く汚れ分を分離できる効果がある。
【００２５】
本形態例では、分離処理槽１０の上端面１６が鏡板状に上方へ膨らんだ湾曲面状に形成されており、汚れ濃縮水排出口１５がその鏡板状の上端面１６の最上部である中央部に設けられている。なお、この汚れ濃縮水排出口１５から排出される汚れ濃縮水は、その排出流量を絞ることで、より高濃縮が可能になるが、排水として流すことが許容されるＢＯＤ濃度の基準値内とするなど、適宜にその流量を設定すれば良い。
【００２６】
また、その汚れ濃縮水排出口１５には、その汚れ濃縮水排出口１５から延長される排水管路５０よりも上方の大気に開放するように挿入された状態に設けられて、分離処理槽１０内の上端部が負圧になった際に大気（空気）を導入することができる大気導入管路５２が設けられている。なお、この大気導入管路５２には、逆止弁を装着することで、大気（空気）の導入のみを許容し、分離処理槽１０から水（汚れ濃縮水）が出ることを阻止することができる。
【００２７】
また、本形態例では、汚れ濃縮水排出口１５に接続されて汚れ濃縮水を排水する排水管路５０の延長部５１において、サイフォン効果を利用できるように、通水断面がその排水管路５０の根元側の部分よりも小さく且つ下方に位置するように設けられている。
【００２８】
汚れ成分を分離する処理時間が長くなると、フロックが分離処理槽１０の上端部１７の内壁面に付着していくが、サイフォンを利用して大気導入管路５２から空気を吸引させ、その吸引空気による気泡を利用してその上端部１７の内壁面に付着したフロックを除去できる。
汚れ濃縮水では、微細気泡によるガスが出るため、そのままで排水する場合、そのガスが邪魔をしてサイフォン効果を生じないが、排水管路５０の上部に空気が溜まる部分を設けることで、水とガスが分離して水だけが排水側に進むため、サイフォン効果を生じさせることができる。これによれば、効率良く、しかも装置の内部を洗浄するようにして汚れ濃縮水を排水することができる。
【００２９】
また、４２は調整弁（図２参照）であり、配電制御盤６０によって、処理水の排出量を調整できるように、処理水管路４０の中途部に設けられている。なお、４５は処理水出口であり、処理水管路４０の末端で処理水の出口になっている。
さらに、４３は循環管路であり、分離処理槽１０の底部と上下方向の中途部とを接続するように設けられている。４４は循環ポンプであり、循環管路４３の中途部に設けられている。これによれば、分離処理槽１０の下部に沈殿したフロックなどを含めて、被処理水を再度分離処理槽１０へ投入できるように配されている。この循環ポンプ４４には、フロックをすり潰すように破砕する機能を備えおり、適切に被処理水を循環できる。なお、４６はドレン口である。
また、１８は内部確認用窓であり、分離処理槽１０の側面に設けられている。
【００３０】
次に、以上の構成にかかる排水の処理装置の作用について説明する。
分離処理槽１０は、図１や図２に示すように、基本的に筒状の一室の液槽であるが、上から排水濃縮部１０Ｃ、低速撹拌部１０Ａ、浮上分離部１０Ｂという部位に便宜的に分けることができる。
低速撹拌部１０Ａは、分離処理槽１０における上下方向の中途の部分であり、原水流入口１３が偏心された状態で接続されているため、この低速撹拌部１０Ａの内部では緩やかな渦流が生じることになる。
浮上分離部１０Ｂは、分離処理槽１０における上下方向の下側の部分（低速撹拌部１０Ａより下側の部分）であり、この内部では、微細気泡の上方向への流れがあり、処理水の下方向への流れがある。
また、排水濃縮部１０Ｃは、分離処理槽１０における上下方向の上側の部分（低速撹拌部１０Ａより上側の部分）であり、この内部では、汚れ濃縮水の上方向への流れがある。
【００３１】
以上のような流れの作用によってフロックが効率良く生成され、そのフロックが、浮上分離部１０Ｂで微細気泡と出合って、その微細気泡に合流・付着して浮上して行くように、この分離処理槽１０では、原水流入口１３と微細気泡の発生源である電極２１の間に所要の距離がある。すなわち、汚れ濃縮水の排水量よりも処理水の水量が大きいため、下方への流れが強くなって軽量であるフロックも下方へ流され易いが、微細気泡の浮上作用によれば、その処理水の下方への流れに対抗させ、フロックを好適に浮上させることができる。この際に、上述した複雑な流れの作用によって、フロックを好適に生成できると共に、そのフロックに微細気泡をより長い時間をかけて万遍無く接触させることができ、フロックを好適に浮上させることができる。
【００３２】
浮上したフロックは、再度、低速撹拌部１０Ａを通り、排水濃縮部１０Ｃでさらに大きなフロックに成長し、分離処理槽１０の上端部１７にある汚れ濃縮水排出口１５を出て、排水管路５０を通って排水される。そして、この汚れ分の分離と汚れ濃縮水が排出される工程は、比較的短い時間で行われるため、一旦微細気泡に付着して浮上したフロックから、その微細空気が分離してそのフロックが沈殿することを防止でき、分離・浄化効率を向上できる。
【００３３】
また、撹拌混合部３２は、薬品を槽内で撹拌・混合する水槽であり、各種薬品が注入されて撹拌・混合され、或いは投入された薬品を撹拌・混合する部分になっている。また、本形態例の撹拌混合部３２は、原水流入口１３に分離処理槽１０ついて偏心した状態で接続されているため、槽内では渦流ができ、各種薬品の撹拌、混合が効率良く行われる。また、渦流のため、壁面にスケールやスライム等が付着しにくい。各種薬品としては、例えば無機凝集剤やｐＨ調整剤があり、水質に対応させて適宜に調整して注入や投入をすれば良い。このように本形態例の装置は、水流等を利用して撹拌混合を行っているため、独立した撹拌機の設置を要しない。
【００３４】
さらに、汚れ濃縮水は分離処理槽１０に満たされた原水及び処理水によって押し出されるようにして排出され、その汚れ濃縮水に伴ってフロックを強制的に排出するため、フロックを掻き寄せるような装置の設置も要しない。
【００３５】
ここで、凝集の原理は、例えば、無機凝集剤としてアルミ系凝集剤が用いられる場合、水中の濁質は、表面が（−）に帯電しているので、相互に反発し合い沈殿しないが、凝集剤を入れると（＋）に帯電したアルミ成分が、濁質の（−）電位を中和して粒子となる。この凝結した微細フロックが水酸化アルミニウムの接着作用により大きなフロックへと生長する。そして、そのフロックの浮上の原理は、微細気泡は、通常の場合、表面が（−）に帯電しており、これに対して、凝集の原理からフロックは（＋）に帯電しているので、フロックに微細気泡が付着して上昇することになる。
ところで、浴室の洗い場の排水に含まれていると考えられる成分としては、陰イオン界面活性剤、陽イオン界面活性剤、非イオン界面活性剤、両性イオン界面活性剤、ヘキサン抽出物質、フルボ酸、有機物などがある。
【００３６】
また、分離処理槽１０の排水濃縮部１０Ｃは、図２〜３に示す形態例では、その上端部１７が鏡板によって形成されており、上方へ行くにしたがって断面積が小さくなる形態となっている。つまり、上方へ行くにしたがって通路が細くなる形状であり、排出される汚れ濃縮水の流速が汚れ濃縮水排出口１５へ向かって徐々に速くなる形態となっている。これによれば、鏡板の内壁面にフロックが付着することを可及的に防ぐことができる。さらに、前述したようなサイフォンによる空気の導入を利用することでも、フロックが付着することを可及的に防ぐことができる。
【００３７】
また、図５に示した形態例の排水の処理装置によれば、分離処理槽１０内の上下方向の流れに整流効果のある整流部材７０が、その分離処理槽１０内の原水流入口１３と気泡発生部２１との間の高さ位置に配されている。すなわち、下降流又は上昇流が、より均一に下方又は上方に向かって流れるように整流効果を生じさせる整流部材７０が設けられている。
【００３８】
この整流部材７０は、分離処理槽１０内の軸心に沿う方向である軸心方向（上下方向）の流れ（原水の下降流及び微細な気泡の上昇流）には、抵抗となりにくい形態になっているとよい。本形態例の整流部材７０は、例えば、図５に示すように、板材を縦（上下）に立てた形態に配設されており、上下方向の流れについては抵抗となりにくく、軸心方向に交差する方向の渦流などの横方向の流れについては抵抗となる邪魔板になっており、その横方向の流れを抑制・減衰させ、上下方向の整流効果を合理的に生じさせることができる。なお、整流部材７０としては、上記のような板状に限定されず、格子状、柵状、網状、有孔板状などの部材を適宜に利用することもでき、配置形態も上記のように縦に立てた形態に限定されず、例えば、傾斜させて配置させることや、交差させて配置させることなど、上述の効果が生じるのであれば、複数を並列的、或いは立体的などに設けてもよい。
【００３９】
また、本形態例について、さらに具体的に説明する。本形態例の原水流入口１３は、原水（被処理水）が、分離処理槽１０の偏心した方向へ向って、その分離処理槽１０に流入するように設けられている。このため、原水が旋回するように分離処理槽１０に流入され、分離処理槽１０の下方に設けられた処理水流出口１４に向かって渦巻き状の下降流が生じる。その渦巻き状の下降流のうちの下降する流れのベクトルを除いた横方向の流れのベクトルを抑制・減衰させるように、その流れを規制する整流部材７０が配置されている。これにより、上述したように上下方向の整流効果を合理的に生じさせることができる。
【００４０】
これによれば、原水（被処理水）の下降流と、微細な気泡の上昇流とを、より均一に出合わせる対抗流とすることができ、両者（原水と微細気泡）が効率良く接触できる相互間の流れとすることができる。このため、フロックの凝集効果を高めると共に、その浮上効果を高め、効率良く汚れ分を分離でき、排水を効率良く浄化できる。
【００４１】
また、原水の下降流が整流部材７０を通過する際に、その整流部材７０の付近には、小さな渦流が生じる。この小さな渦流は、原水と微細気泡とをより効率的に撹拌・混合する効果を生じさせることができ、排水を効率良く浄化できる。なお、整流部材７０の取り付け位置は、少なくとも、気泡発生部（電極）２１より上方であり、前述の小さな渦流が気泡発生部（電極）２１に当たらない程度に間隔を置くとよい。
【００４２】
以上の構成によれば、原水流入の偏心による撹拌効果と、微細気泡の上昇流と原水の下降流とが交錯することによる撹拌効果と、整流部材７０の下方に生じる小さな渦流の撹拌効果とによって、フロックと微細気泡との接触が効率良くなされ、より一層排水を効率良く浄化できる。
【産業上の利用可能性】
【００４３】
本発明によれば、温浴施設などで利用することで、温水である排水を浄化でき、これを熱源として熱交換することで、廃棄していた熱を回収することができる。この際に、処理水（温水）が浄化されているため、熱交換器を汚染することなく、その熱交換の効率を高く維持することができる。また、本発明によれば、浄化された処理水を得ることができ、これを屋根に散水すれば、空調の負荷低減に利用でき、温水として利用すれば冬場は屋根の融雪に有効である。さらに、以上のように処理水を再利用できることで、排水として廃棄する水量（下水量）を低減できる。
また、本発明にかかる排水の処理装置は、前述したように洗剤などにより汚れ分が溶け込んでいるような排水を処理する場合に広く利用でき、温浴施設の排水処理に限らず、汚れ分と洗剤が溶け込んだ排水を処理する洗浄装置の前処理としてその排水を処理する場合などに、広く適用できる。
【００４４】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００４５】
１０  分離処理槽
１０Ａ  低速撹拌部
１０Ｂ  浮上分離部
１０Ｃ  排水濃縮部
１３  原水流入口
１４  処理水流出口
１５  汚れ濃縮水排出口
１６  上端面
１７  上端部
１８  内部確認用窓
２０  微細気泡発生装置
２１  気泡発生部、電極
２２  収納部
２３  電解液の供給装置
２４  電解液供給管路
３０  原水の供給装置
３１  薬品の投入装置
３１ａ  アルカリ剤の投入装置
３１ｂ  凝集剤挿入装置
３２  撹拌混合部
３３  排水槽
３４  送水ポンプ
３５  原水給水管路
４０  処理水管路
４１  先端開口
４２  調整弁
４３  循環管路
４４  循環ポンプ
４５  処理水出口
４６  ドレン口
５０  排水管路
５１  延長部
５２  大気導入管路
６０  配電制御盤
７０  整流部材
ＭＢ  マイクロバブ
【図１】
2015098021.tif 000003
【図２】
2015098021.tif 000004
【図３】
2015098021.tif 000005
【図４】
2015098021.tif 000006
【図５】
2015098021.tif 000007